(57)【要約】【課題】  ＤＶＤメディアを記録媒体としたディスクムービーにおいて、一般的なＤＶＤプレーヤーで再生することができるサブピクチャを記録し、編集する際に、簡単にサブピクチャを有効サブピクチャと無効サブピクチャ間で変更可能な情報記録方法、情報編集方法、及び情報記録再生装置を提供する。【解決手段】  映像、音声を取り込む入力手段と、該入力手段で入力された映像、音声からＭＰＥＧストリームを生成する圧縮手段１０３と、副映像を生成する副映像生成手段１０９と、映像、音声のＭＰＥＧストリームと、副映像とを多重化するストリーム生成手段１１１とを有し、副映像生成手段１０９で複数の副映像を生成し、ストリーム生成手段１１１で、複数の副映像のうち少なくとも１つ以上の副映像を、副映像をデコードする際にデコード不可能である無効副映像として、映像、音声のＭＰＥＧストリームと多重化する。【選択図】  図１
2006222818.tif 000002
【特許請求の範囲】
【請求項１】
映像、音声を取り込む入力手段で入力された映像、音声を、副映像とともに記録媒体に記録する情報記録再生装置における情報記録方法において、
前記情報記録再生装置は、
前記入力手段で入力された映像、音声を圧縮し、圧縮データを生成する圧縮手段と、
前記副映像を生成する副映像生成手段と、
前記圧縮手段で生成された前記圧縮データと、前記副映像生成手段で生成された前記副映像とを用いて、副映像情報を含むストリームを生成するストリーム生成手段と、
前記ストリーム生成手段で生成された前記ストリームを、前記記録媒体に記録する記録手段と、
前記記録媒体に記録されたストリームより前記映像、音声、および前記副映像を再生する再生手段とを有し、
前記入力手段で入力された映像、音声を圧縮して、圧縮データを生成し、
前記副映像生成手段により、複数の副映像を生成し、
前記ストリーム生成手段により、前記複数の副映像のうち少なくとも１つ以上の副映像を、前記記録媒体に記録された前記副映像を再生する際に再生不可能となる無効副映像として、前記ストリームを生成し、
前記記録手段により前記生成したストリームを前記記録媒体に記録する、
ことを特徴とする情報記録方法。
【請求項２】
請求項１記載の情報記録方法において、
前記無効副映像は、前記ストリーム中の前記副映像のストリームのヘッダのデータを、前記記録媒体に記録された前記副映像を再生する際に再生不可能となるデータとしたものである、
ことを特徴とする情報記録方法。
【請求項３】
請求項１または２記載の情報記録方法において、
前記無効副映像は、前記副映像情報保有ストリーム中の前記副映像のストリームのヘッダに含まれるストリームＩＤを、前記記録媒体に記録された前記副映像を再生する際に再生不可能となるストリームＩＤとしたものである、
ことを特徴とする情報記録方法。
【請求項４】
請求項１または２記載の情報記録方法において、
前記無効副映像は、前記副映像情報保有ストリーム中の前記ストリームのヘッダに含まれるサブストリームＩＤを、前記記録媒体に記録された前記副映像を再生する際に再生不可能となるサブストリームＩＤとしたものである、
ことを特徴とする情報記録方法。
【請求項５】
請求項１ないし４のいずれかに記載の情報記録方法において、
前記複数の副映像のすべてを、前記記録媒体に記録する、
ことを特徴とする情報記録方法。
【請求項６】
請求項１ないし５のいずれかに記載の情報記録方法において、
前記ストリーム生成手段は、前記映像と音声の圧縮データと、前記複数の副映像とを多重化して多重化ストリームを生成し、該多重化ストリームを前記記録媒体に記録する、
ことを特徴とする情報記録方法。
【請求項７】
請求項６記載の情報記録方法において、
前記多重化ストリームは、ＭＰＥＧストリームである、
ことを特徴とする情報記録方法。
【請求項８】
請求項１ないし７のいずれかに記載の情報記録方法において、
前記複数の副映像のうち、前記記録媒体に記録された前記副映像を再生する際に再生可能である副映像を有効副映像とし、
前記有効副映像を選択するための有効副映像選択手段を有し、
前記ストリーム生成手段は、前記有効副映像選択手段で選択された前記有効副映像と、前記無効副映像とを、ストリームに多重化する、
ことを特徴とする情報記録方法。
【請求項９】
請求項７記載の情報記録方法において、
前記有効副映像選択手段は、前記ストリーム生成手段が、ストリームを生成する前、もしくは、ストリームを生成した後、もしくはストリームを生成している間に、前記有効副映像を選択する、
ことを特徴とする情報記録方法。
【請求項１０】
請求項８記載の情報記録方法において、
前記有効副映像選択手段は、ユーザーの入力に応じて前記有効副映像を選択する、
ことを特徴とする情報記録方法。
【請求項１１】
請求項１ないし１０のいずれかに記載の情報記録方法において、
前記録対象情報を入力する記録対象情報入力手段を有し、
前記副映像生成手段は、前記記録対象情報入力手段を介して入力された前記記録対象情報を用いて、前記複数の副映像を生成する、
ことを特徴とする情報記録方法。
【請求項１２】
請求項１１記載の情報記録方法において、
前記記録対象情報は、記録対象を表す名称である、
ことを特徴とする情報記録方法。
【請求項１３】
請求項１１記載の情報記録方法において、
前記記録対象情報は、記録対象の発生時を表す情報である、
ことを特徴とする情報記録方法。
【請求項１４】
請求項１１記載の情報記録方法において、
前記記録対象情報は、個人もしくは家族の名称である、
ことを特徴とする情報記録方法。
【請求項１５】
請求項１１記載の情報記録方法において、
前記記録対象情報は、個人もしくは家族の出生時を表す情報である、
ことを特徴とする情報記録方法。
【請求項１６】
請求項１ないし１５のいずれかに記載の情報記録方法において、
時刻を計測する計時手段を有し、
前記記録対象情報と、前記計時手段の出力とから、前記記録対象の発生時もしくは出生時からの年月を計算する、
ことを特徴とする情報記録方法。
【請求項１７】
請求項１６記載の情報記録方法において、
前記発生時もしくは出生時からの年月を、前記複数の副映像に用いる、
ことを特徴とする情報記録方法。
【請求項１８】
請求項１６または１７記載の情報記録方法において、
前記発生時もしくは出生時からの年月は、年齢もしくは学年である、
ことを特徴とする情報記録方法。
【請求項１９】
請求項８ないし１８のいずれかに記載の情報記録方法において、
前記有効副映像を再生時にデフォルトで非表示にする副映像非表示情報を、前記記録媒体に記録する、
ことを特徴とする情報記録方法。
【請求項２０】
映像、音声を取り込む入力手段で入力された映像、音声を、副映像とともに記録媒体に記録する情報記録再生装置における情報編集方法であって、
前記情報記録再生装置は、
前記入力手段で入力された映像、音声を圧縮し、圧縮データを生成する圧縮手段と、
前記副映像を生成する副映像生成手段と、
前記圧縮手段で生成された前記圧縮データと、前記副映像生成手段で生成された前記副映像とを用いて、副映像情報を含むストリームを生成するストリーム生成手段と、
前記ストリーム生成手段で生成された前記ストリームを、前記記録媒体に記録する記録手段と、
前記記録媒体に記録されたストリームより前記映像、音声、および前記副映像を再生する再生手段とを有し、
該情報編集方法は、前記記録媒体に記録された前記副映像を再生する際に再生不可能となる無効副映像、あるいは再生可能である有効副映像を、編集する情報編集方法であり、
前記無効副映像のうち少なくとも１つ以上を有効副映像に変更し、あるいは、前記有効副映像のうち少なくとも１つ以上を無効副映像に変更する、
ことを特徴とする情報編集方法。
【請求項２１】
請求項２０記載の情報編集方法において、
前記無効副映像のうち少なくとも１つ以上の、有効副映像への変更、あるいは前記有効副映像のうち少なくとも１つ以上の、無効副映像への変更は、
前記無効副映像のストリームのヘッダのデータを、前記記録媒体に記録された前記副映像を再生する際に再生可能であるデータに書き換える、あるいは前記有効副映像のストリームのヘッダのデータを、前記記録媒体に記録された前記副映像を再生する際に再生不可能となるデータに書き換えることにより行う、
ことを特徴とする情報編集方法。
【請求項２２】
請求項２１記載の情報編集方法において、
前記無効副映像のうち少なくとも１つ以上の、有効副映像への変更、あるいは前記第１の有効副映像のうち少なくとも１つ以上の、無効副映像への変更は、
前記無効副映像のストリームのヘッダに含まれるストリームＩＤを、前記記録媒体に記録された前記副映像を再生する際に再生可能であるストリームＩＤに書き換える、あるいは前記有効副映像のストリームのヘッダに含まれるストリームＩＤを、前記記録媒体に記録された前記副映像を再生する際に再生不可能となるストリームＩＤに書き換えることにより行う、
ことを特徴とする情報編集方法。
【請求項２３】
請求項２１記載の情報編集方法において、
前記無効副映像のうち少なくとも１つ以上の、有効副映像への変更、あるいは前記有効副映像のうち少なくとも１つ以上の、無効副映像への変更は、
前記無効副映像のストリームのヘッダに含まれるサブストリームＩＤを、前記記録媒体に記録された前記副映像を再生する際に再生可能であるサブストリームＩＤに書き換える、あるいは前記有効副映像の前記ストリームのヘッダに含まれるサブストリームＩＤを、前記記録媒体に記録された前記副映像を再生する際に再生不可能となるサブストリームＩＤに書き換えることにより行う、
ことを特徴とする情報編集方法。
【請求項２４】
請求項２０ないし２３のいずれかに記載の情報編集方法において、
前記有効副映像を選択する有効副映像選択手段を有し、
前記無効副映像のうち少なくとも１つ以上の、有効副映像への変更、あるいは有効副映像のうち少なくとも１つ以上の、無効副映像への変更は、
前記有効副映像選択手段が、ユーザーの入力に応じて、変更前の有効副映像、あるいは変更前の無効副映像を、少なくとも１つ選択し変更することにより行う、
ことを特徴とする情報編集方法。
【請求項２５】
請求項２０ないし２４のいずれかに記載の情報編集方法において、
前記変更後の有効副映像、及び変更後の無効副映像を前記記録媒体に記録する、
ことを特徴とする情報編集方法。
【請求項２６】
請求項２０ないし２５のいずれかに記載の情報編集方法において、
前記変更前の有効副映像、あるいは前記変更後の有効副映像を、再生時にデフォルトで非表示にする副映像非表示情報を、前記記録媒体に記録する、
ことを特徴とする情報編集方法。
【請求項２７】
請求項１ないし１９のいずれかに記載の情報記録方法において、
前記記録媒体は、ランダムアクセス可能な、光ディスク、もしくは磁気ディスク、もしくは半導体メモリである、
ことを特徴とする情報記録方法。
【請求項２８】
請求項２０ないし２６のいずれかに記載の情報編集方法において、
前記記録媒体は、ランダムアクセス可能な、光ディスク、もしくは磁気ディスク、もしくは半導体メモリである、
ことを特徴とする情報編集方法。
【請求項２９】
請求項１ないし１９のいずれかに記載の情報記録方法を実施可能である、
ことを特徴とする情報記録再生装置。
【請求項３０】
請求項２０ないし２６のいずれかに記載の情報編集方法を実施可能である、
ことを特徴とする情報記録再生装置。
【請求項３１】
請求項２９または３０に記載の情報記録再生装置であって、
該情報記録再生装置は、入力手段として映像撮像装置を有するデジタルカメラである、
ことを特徴とする情報記録再生装置。
【発明の詳細な説明】
【技術分野】
【０００１】
本発明は、記録型ＤＶＤディスクを用いた記録再生装置に関係し、特にディスクムービーにおけるカメラ部から入力された映像、音声信号を圧縮し、圧縮された映像、音声にＤＶＤ  Ｖｉｄｅｏ規格もしくはＤＶＤビデオレコーディング規格におけるサブピクチャを多重化する情報記録方法、情報編集方法、及び情報記録再生装置に関するものである。
【背景技術】
【０００２】
近年、映像や音声などをデジタル圧縮して記録を行うＤＶＤが普及しており、例えばＴＶ放送の記録を行うＤＶＤレコーダや、ＤＶＤを記録メディアとするディスクムービー等に幅広く利用されている。
【０００３】
これにより、従来のＶＴＲでは記録されたものを頭から順に再生することしかできなかったものが、ＤＶＤにより見たいシーンから瞬時に再生できる機能や、簡単に編集を行うことができる編集機能などを提供できるようになっている。
【０００４】
これら映像や音声を、効率的に蓄積・伝送するための情報圧縮技術として、ＭＰＥＧ（Ｍｏｖｉｎｇ  Ｐｉｃｔｕｒｅ  Ｅｘｐｅｒｔｓ  Ｇｒｏｕｐ）がある。ＭＰＥＧでは、映像や音声などのデジタルコンテンツを構成する要素となる複数のデジタル信号を、一つのビットストリームに多重化するときの信号の構成を、システムの規格として定めている。また、動画を記録するために、ファイル名称や、ディレクトリ構造、データ形式などの、アプリケーションフォーマットであるＤＶＤビデオレコーディング規格や、ＤＶＤ  Ｖｉｄｅｏ規格が定められており、ＤＶＤ−ＲＡＭや、ＤＶＤ−Ｒなどの記録メディアへの記録が可能となっている。
【０００５】
上記規格では、早送り、巻き戻しなどの特殊再生をサポートするための情報データを持つことにより、スムーズに特殊再生を行えるようにしている。
【０００６】
さらに、主映像の他に、ＤＶＤビデオレコーディング規格では、１個の副映像であるサブピクチャを、ＤＶＤ  Ｖｉｄｅｏ規格では３２個のサブピクチャを、挿入することを可能としている。
【０００７】
それらのサブピクチャを再生する際、サブピクチャを表示するか否かの選択が可能であり、また、ＤＶＤ  Ｖｉｄｅｏ規格においては、３２個のサブピクチャのうちの１つを選択し、再生することが可能である。
【０００８】
ディスクムービー等で、上記サブピクチャを、主映像、及び音声の圧縮データと、多重化するには、リアルタイムに主映像、及び音声の圧縮データと多重化し、ＭＰＥＧストリームを生成する必要がある。
そのため、サブピクチャデータを編集する場合は、再エンコードを行う必要がある。
【０００９】
そこで、再エンコードを行わず、サブピクチャを追加するために、従来の公報では、リアルタイムにダミーデータを挿入しておき、ＭＰＥＧストリームを生成した後、そのダミーデータを、サブピクチャデータに書き換えることにより、サブピクチャ画像を追加できるようにしている（例えば特許文献１参照。）。
【００１０】
また、従来の公報では、ディジタルビデオカメラ等で記録されたデータを、記録可能なＤＶＤメディアへ、データのダビングを行う際、ディジタルビデオカメラで記録された日時情報を読み出し、その日時情報を、上記規格におけるサブピクチャ機能を利用して、ＤＶＤメディアへ記録するようにしている（例えば特許文献２参照。）。
【特許文献１】特開平１１−２１５４７１号公報（第１３−１５頁、第１４−１７図）
【特許文献２】特開２００４−２０１１００号公報（第２−８頁、第１−５図）
【発明の開示】
【発明が解決しようとする課題】
【００１１】
従来、ディジタルビデオカメラでは、撮影した映像、音声に加え、日時情報を媒体に記録している。その記録された映像、音声、及び日時情報を再生する際、ディジタルビデオカメラで再生を行い、その出力をテレビ等のモニタに接続し、視聴する必要があった。
【００１２】
そこで、近年記録媒体として、ＤＶＤ−ＲＡＭ、ＤＶＤ−Ｒを用いたディスクムービーが出てきており、ＤＶＤ−ＲＡＭ、ＤＶＤ−Ｒを、一般的なＤＶＤプレーヤーで再生できるようになった。
【００１３】
上記ディスクムービーでは、タイトルに日時情報を挿入することにより、ユーザーに撮影された日時を知らせていた。
しかしながら、ユーザーとしては映像、音声を再生中に、日時情報を知りたい場合がある。
【００１４】
また、日時情報だけでなく、撮影されている人物の個人名、「長男」や「次男」といった個人を特定できる情報、誕生日、年齢、学年等の個人情報も知りたい場合がある。
【００１５】
そこで、ＤＶＤ  Ｖｉｄｅｏ規格、ＤＶＤビデオレコーディング規格におけるサブピクチャに、日時情報や個人情報を挿入する方法が考えられる。
【００１６】
しかしながら、ＤＶＤビデオレコーディング規格では、１つのサブピクチャしか挿入することができないため、上記情報の組み合わせをすべて挿入することができない。
【００１７】
また、上記情報のうち１つを選択し、その情報を用いてサブピクチャを生成し、映像、音声と多重化して記録媒体に記録した後、ユーザーがサブピクチャを変更したい場合は、再エンコードを行う必要がある。
【００１８】
特許文献１では予め、ダミーデータをストリームに挿入しておき、記録媒体に記録した後、そのダミーデータを、挿入したいサブピクチャ画像データに変更することにより、再エンコードすることなく、記録されたデータにサブピクチャ画像を追加できるようにしている。
【００１９】
しかしながら、特許文献１の方法では、ダミーデータ部のデータすべてを変更する必要があり、ＣＰＵの負荷が大変大きく、さらに、編集に時間がかかるものであった。このことより、ユーザーとして使い勝手がわるいものであった。
【００２０】
また、記録後にサブピクチャに時間情報を挿入したい場合、特許文献１の方法では、サブピクチャの変更時に、撮影中の時間情報を得ることができないため、時間情報をサブピクチャとして挿入することができない、といった課題があった。
【００２１】
この発明は、上記のような従来の問題点に鑑みてなされたもので、ユーザーが必要とする情報のみをサブピクチャとすることが可能である情報記録方法、あるいは情報記録再生装置を提供することを目的とする。
【００２２】
またこの発明は、上記ユーザーが必要とするサブピクチャを容易に変更することを可能とする情報編集方法、あるいは情報記録再生装置を提供することを目的とする。
【課題を解決するための手段】
【００２３】
前記従来の課題を解決するために、本発明にかかる情報記録方法は、映像、音声を取り込む入力手段で入力された映像、音声を、副映像とともに記録媒体に記録する情報記録再生装置における情報記録方法において、前記情報記録再生装置は、前記入力手段で入力された映像、音声を圧縮し、圧縮データを生成する圧縮手段と、前記副映像を生成する副映像生成手段と、前記圧縮手段で生成された前記圧縮データと、前記副映像生成手段で生成された前記副映像とを用いて、副映像情報を含むストリームを生成するストリーム生成手段と、前記ストリーム生成手段で生成された前記ストリームを、前記記録媒体に記録する記録手段と、前記記録媒体に記録されたストリームより前記映像、音声、および前記副映像を再生する再生手段とを有し、前記入力手段で入力された映像、音声を圧縮して、圧縮データを生成し、前記副映像生成手段により、複数の副映像を生成し、前記ストリーム生成手段により、前記複数の副映像のうち少なくとも１つ以上の副映像を、前記記録媒体に記録された前記副映像を再生する際に再生不可能となる無効副映像として、前記ストリームを生成し、前記記録手段により前記生成したストリームを前記記録媒体に記録する、ことを特徴とするものである。
【００２４】
さらに、請求項１記載の情報記録方法において、前記無効副映像は、前記副映像の前記ストリームのヘッダのデータを、前記記録媒体に記録された前記副映像を再生する際に再生不可能となるデータとした、ことを特徴とするものである。
【００２５】
さらに、請求項１または２記載の情報記録方法において、前記無効副映像は、前記ストリームのヘッダに含まれるストリームＩＤに、前記記録媒体に記録された前記副映像を再生する際に再生不可能となるＩＤを挿入した、ことを特徴とするものである。
【００２６】
さらに、請求項１または２記載の情報記録方法において、前記無効副映像は、前記ストリームのヘッダに含まれるサブストリームＩＤに、前記記録媒体に記録された前記副映像を再生する際に再生不可能となるＩＤを挿入した、ことを特徴とするものである。
【００２７】
さらに、請求項１ないし４のいずれかに記載の情報記録方法において、前記複数の副映像のすべてを、前記記録媒体に記録する、ことを特徴とするものである。
【００２８】
さらに、請求項１ないし５のいずれかに記載の情報記録方法において、前記ストリーム生成手段は、前記映像と音声の圧縮データと、前記複数の副映像とを多重化して多重化ストリームを生成し、該多重化ストリームを前記記録媒体に記録する、ことを特徴とするものである。
【００２９】
さらに、請求項６記載の情報記録方法において、前記多重化ストリームは、ＭＰＥＧストリームである、ことを特徴とするものである。
【００３０】
さらに、請求項１ないし７のいずれかに記載の情報記録方法において、前記複数の副映像のうち、前記記録媒体に記録された前記副映像を再生する際に再生可能である副映像を有効副映像とし、前記有効副映像を選択するための有効副映像選択手段を有し、前記ストリーム生成手段は、前記有効副映像選択手段で選択された前記有効副映像と、前記無効副映像とを、ストリームに多重化する、ことを特徴とするものである。
【００３１】
さらに、請求項１ないし８のいずれかに記載の情報記録方法において、前記有効副映像選択手段は、前記ストリーム生成手段でストリームを生成する前、もしくは、前記ストリーム生成手段でストリームを生成した後、もしくは前記ストリーム生成手段でストリームを生成している間に、前記有効副映像を選択する、ことを特徴としたものである。
【００３２】
さらに、請求項１ないし９のいずれかに記載の情報記録方法において、前記有効副映像選択手段は、ユーザーの入力に応じて前記有効副映像を選択する、ことを特徴としたものである。
【００３３】
さらに、請求項１ないし１０のいずれかに記載の情報記録方法において、記録対象情報を入力する記録対象情報入力手段を有し、前記副映像生成手段は、前記記録対象情報入力手段で入力される前記記録対象情報を用いて、前記複数の副映像を生成する、ことを特徴としたものである。
【００３４】
さらに、請求項１１記載の情報記録方法において、前記記録対象情報は、記録対象を表す名称である、ことを特徴としたものである。
【００３５】
さらに、請求項１１記載の情報記録方法において、前記記録対象情報は、記録対象の発生時を表す情報である、ことを特徴としたものである。
【００３６】
さらに、請求項１１記載の情報記録方法において、前記記録対象情報は、個人もしくは家族の名称である、ことを特徴としたものである。
【００３７】
さらに、請求項１１記載の情報記録方法において、前記記録対象情報は、個人もしくは家族の出生時を表す情報である、ことを特徴としたものである。
【００３８】
さらに、請求項１ないし１５のいずれかに記載の情報記録方法において、時刻を計測する計時手段を有し、前記記録対象情報と、前記計時手段から、前記記録対象の発生時もしくは出生時からの年月を計算する、ことを特徴としたものである。
【００３９】
さらに請求項１ないし１６のいずれかに記載の情報記録方法において、前記発生時もしくは出生時からの年月を、前記複数の副映像に用いる、ことを特徴としたものである。
【００４０】
さらに、請求項１６または１７記載の情報記録方法において、前記発生時もしくは出生時からの年月は、年齢もしくは学年である、ことを特徴としたものである。
【００４１】
さらに、請求項８ないし１８のいずれかに記載の情報記録方法において、前記有効副映像を再生時にデフォルトで非表示にする副映像非表示情報を、前記記録媒体に記録する、ことを特徴としたものである。
【００４２】
さらに、映像、音声を取り込む入力手段で入力された映像、音声を、副映像とともに記録媒体に記録する情報記録再生装置における情報編集方法であって、前記情報記録再生装置は、前記入力手段で入力された映像、音声を圧縮し、圧縮データを生成する圧縮手段と、前記副映像を生成する副映像生成手段と、前記圧縮手段で生成された前記圧縮データと、前記副映像生成手段で生成された前記副映像とを用いて、副映像情報を含むストリームを生成するストリーム生成手段と、前記ストリーム生成手段で生成された前記ストリームを、前記記録媒体に記録する記録手段と、前記、記録媒体に記録されたストリームより前記映像、音声、および前記副映像を再生する再生手段とを有し、該情報編集方法は、前記記録媒体に記録された前記副映像を再生する際に再生不可能となる無効副映像、あるいは再生可能である有効副映像を、編集する情報編集方法であり、前記無効副映像のうち少なくとも１つ以上を有効副映像に変更し、あるいは、前記有効副映像のうち少なくとも１つ以上を無効副映像に変更する、ことを特徴としたものである。
【００４３】
さらに、請求項２０記載の情報編集方法において、前記無効副映像のうち少なくとも１つ以上の、有効副映像への変更、前記有効副映像のうち少なくとも１つ以上の、無効副映像への変更は、前記無効副映像の前記ストリームのヘッダのデータを、前記記録媒体に記録された前記副映像を再生する際に再生可能であるデータに書き換え、前記有効副映像の前記ストリームのヘッダのデータを、前記記録媒体に記録された前記副映像を再生する際に再生不可能であるデータに書き換える、ことにより変更する、ことを特徴としたものである。
【００４４】
さらに、請求項２１記載の情報編集方法において、前記無効副映像のうち少なくとも１つ以上の、有効副映像への変更、あるいは前記有効副映像のうち少なくとも１つ以上の、無効副映像への変更は、前記無効副映像のストリームのヘッダに含まれるストリームＩＤを、前記記録媒体に記録された前記副映像を再生する際に再生可能であるストリームＩＤに書き換える、あるいは前記有効副映像の前記ストリームのヘッダに含まれるストリームＩＤを、前記記録媒体に記録された前記副映像を再生する際に再生不可能であるストリームＩＤに書き換える、ことにより変更する、ことを特徴としたものである。
【００４５】
さらに、請求項２１記載の情報編集方法において、前記無効副映像のうち少なくとも１つ以上の、有効副映像への変更、あるいは有効副映像のうち少なくとも１つ以上の、無効副映像への変更は、前記無効副映像の前記ストリームのヘッダに含まれるサブストリームＩＤを、前記記録媒体に記録された前記副映像を再生する際に再生可能であるサブストリームＩＤに書き換える、あるいは前記有効副映像の前記ストリームのヘッダに含まれるサブストリームＩＤを、前記記録媒体に記録された前記副映像を再生する際に再生不可能であるサブストリームＩＤに書き換える、ことにより変更する、ことを特徴としたものである。
【００４６】
さらに、請求項２０ないし２３のいずれかに記載の情報編集方法において、前記有効副映像を選択する有効副映像選択手段を有し、前記無効副映像のうち少なくとも１つ以上の、有効副映像への変更、あるいは有効副映像のうち少なくとも１つ以上の、無効副映像への変更は、前記有効副映像選択手段が、ユーザーの入力に応じて、変更前の有効副映像、あるいは変更前の無効副映像を、少なくとも１つ選択し変更する、ことを特徴としたものである。
【００４７】
さらに、請求項２０ないし２４のいずれかに記載の情報編集方法において、前記変更後の有効副映像、及び前記変更後の無効副映像を、前記記録媒体に記録する、ことを特徴としたものである。
【００４８】
さらに、請求項２０ないし２５のいずれかに記載の情報編集方法において、前記変更前の有効副映像、もしくは変更後の有効副映像を再生時にデフォルトで非表示にする副映像非表示情報を、前記記録媒体に記録する、ことを特徴としたものである。
【００４９】
さらに、請求項１ないし１９のいずれかに記載の情報記録方法において、前記記録媒体は、ランダムアクセス可能な光ディスク、もしくは磁気ディスク、もしくは半導体メモリである、ことを特徴としたものである。
【００５０】
さらに、請求項２０ないし２６のいずれかに記載の情報編集方法において、前記記録媒体は、ランダムアクセス可能な光ディスク、もしくは磁気ディスク、もしくは半導体メモリである、ことを特徴としたものである。
【００５１】
さらに、請求項１ないし１９のいずれかに記載の情報記録方法を実施可能である情報記録再生装置である、ことを特徴としたものである。
【００５２】
さらに、請求項２０ないし２６のいずれかに記載の情報編集方法を実施可能である情報記録再生装置である、ことを特徴としたものである。
【００５３】
さらに、請求項２９または３０に記載した情報記録再生装置において、該情報記録再生装置は、入力手段として映像撮像装置を有するデジタルカメラである、ことを特徴としたものである。
【発明の効果】
【００５４】
本発明にかかる情報記録再生装置、及び情報記録方法、及び情報編集方法によれば、ユーザーにとって必要と思われる情報を用いて、複数のサブピクチャを生成し、そのうち１つのサブピクチャのみを、再生時に再生可能なサブピクチャとし、それ以外を再生時に再生不可能なサブピクチャとして、記録することにより、ユーザーが必要である情報のみをサブピクチャとすることが可能である。また、このサブピクチャは、記録された後、簡単に変更することが可能となる。
【発明を実施するための最良の形態】
【００５５】
以下に、本発明に係る情報記録方法、情報編集方法、及び情報記録再生装置の実施の形態を図面とともに詳細に説明する。
【００５６】
（実施の形態１）
図１は、本発明の実施の形態１による情報記録再生装置のブロック図を示すものである。ここでは、記録メディアをＤＶＤメディアとしたディスクムービーを想定し、説明する。
【００５７】
図１において、撮像部１０１は、公知のＣＣＤ方式等のカメラであり、任意の場所を撮像し、撮像対象領域の撮像画像を継続的に取得する。Ａ／Ｄ変換部１０２は、撮像部１０１で取得したアナログ映像、音声信号のＡ／Ｄ変換を行い、デジタル映像、音声信号に変換する。圧縮部１０３は、Ａ／Ｄ変換部１０２で生成されたデジタル映像、音声信号をＭＰＥＧストリームに変換する。ユーザーＩ／Ｆ１０４は、ユーザーがディスクムービーを操作するためのインターフェースである。
【００５８】
記録対象情報入力部１０５は、ユーザーＩ／Ｆ１０４を介して、入力された記録対象に関する情報である人名、呼称、生年月日等を不揮発性メモリであるメモリ１０６に格納する。計時部１０７は、日時情報を取得する。演算部１０８は、メモリ１０６に格納された生年月日と、計時部１０７で取得される日時情報とをもとに、年齢を計算する。ここで、年齢の計算方法としては、生年月日と、計時部１０７で取得される日時情報との差分を求めることによる計算を行う。
【００５９】
サブピクチャ生成部１０９は、メモリ１０６に格納された人名、呼称や、計時部１０７で取得した日時情報や、演算部１０８で計算された年齢をもとに、複数のサブピクチャ画像データを生成する。メモリ１１０は、サブピクチャ生成部１０９で複数のサブピクチャ画像データを生成する際に使用するとともに、生成されたサブピクチャ画像データを格納する。
【００６０】
ストリーム生成部１１１は、圧縮部１０３で生成された映像、音声のＭＰＥＧストリームと、サブピクチャ生成部１０９で生成されたサブピクチャ画像データとを用いて、ＤＶＤメディアに記録可能なフォーマットであるＤＶＤ  Ｖｉｄｅｏ規格、もしくはＤＶＤビデオレコーディング規格に準拠したストリームを生成し、記録媒体１１３へ記録する。
【００６１】
なおここでは、記録媒体１１３にＤＶＤメディアを想定し、ＤＶＤ  Ｖｉｄｅｏ規格、もしくはＤＶＤビデオレコーディング規格に準拠したストリームを生成することとしたが、ストリーム生成部１１１は、記録媒体に応じてそれぞれの記録媒体に対応したフォーマットのストリームを生成する。ストリーム再生部１１２は、記録媒体１１３に記録されたストリームのデマルチプレクスを行い、さらにデコードを行う。
【００６２】
記録媒体１１３は、ＤＶＤ−Ｒ、もしくはＤＶＤ−ＲＡＭ、もしくはＤＶＤ−ＲＷである。ここでは、記録媒体１１３を、ＤＶＤメディアとしたが、これはその他光メディア、磁気ディスク、半導体メモリでもよい。Ｄ／Ａ変換部１１４は、ストリーム再生部１１２でデコードされたデータをアナログ信号に変換し、出力する。
【００６３】
以上のように構成された本実施の形態１による情報記録再生装置について、以下その動作、作用を説明する。
まず、ユーザーが撮影を開始した場合、撮像部１０１にて撮影された任意の場所、任意の人物等の映像、音声信号が、Ａ／Ｄ変換部１０２に入力される。Ａ／Ｄ変換部１０２に入力された映像、音声信号は、デジタル映像、音声データに変換された後、圧縮部１０３でＭＰＥＧストリームに圧縮され、ストリーム生成部１１１に入力される。
【００６４】
次に、サブピクチャ生成部１０９でランレングス圧縮しメモリ１１０に格納された複数のサブピクチャ画像データを、メモリ１１０から読み出し、ストリーム生成部１１１で、映像、音声のＭＰＥＧストリームとサブピクチャ画像データとを、ＤＶＤ  Ｖｉｄｅｏ規格もしくはＤＶＤビデオレコーディング規格に準拠したフォーマットで多重化し、記録媒体１１３に記録する。
【００６５】
ここで、複数のサブピクチャ画像データのうち１つを取り出して、ストリーム再生部１１２で、もしくは一般的なＤＶＤプレーヤーで、サブピクチャとして再生可能である有効副映像（以下、有効サブピクチャと称す）を生成し、それ以外のサブピクチャ画像データのうちの１つを取り出して、ストリーム再生部１１２もしくは一般的なＤＶＤプレーヤーで、サブピクチャとして再生不可能である無効副映像（以下、無効サブピクチャと称す）を生成し、すべての有効サブピクチャ、無効サブピクチャを、映像、音声のＭＰＥＧストリームと多重化する。
【００６６】
ここで、複数のサブピクチャのうち、有効サブピクチャとするサブピクチャ、さらには、無効サブピクチャとするサブピクチャは、ユーザーによりユーザーＩ／Ｆ１０４を介して、選択することができる。
【００６７】
また、この複数のサブピクチャの生成、有効サブピクチャ、無効サブピクチャの生成、については後に、詳細に述べる。
【００６８】
前記録媒体１１３に記録されたストリームを再生する際、ストリーム再生部１１２は、記録媒体１１３に記録されたデータを読み出し、ストリームのデマルチプレクス、及びデコードを行い、Ｄ／Ａ変換部１１４に出力する。Ｄ／Ａ変換部１１４は、入力されたデジタルデータをアナログデータに変換して出力し、その出力は、表示装置（図示せず）に表示される。
【００６９】
ストリーム再生部１１２におけるサブピクチャの再生においては、ＤＶＤ  Ｖｉｄｅｏ規格、もしくはＤＶＤビデオレコーディング規格に準拠したサブピクチャに関する情報に応じて、サブピクチャの再生を行い、その結果、サブピクチャ画像が映像に重ね合わせて出力、表示される。
【００７０】
次に、複数のサブピクチャ画像データの生成について説明する。
まず、記録対象情報入力部１０５において、ユーザーが登録したい人物の名前や、「長男」「次男」といった呼称や、その人物の生年月日等を入力し、メモリ１０６に記憶させて登録しておく。
ここで挙げた情報以外の個人情報を入力してもよいし、また、人物以外の情報を入力してもよい。
【００７１】
次に、ユーザーによりディスクムービーの電源が入れられるたびに、上記のように登録された人物の生年月日を呼び出し、その生年月日と、計時部１０７で取得される日時情報とをもとに、ディスクムービーに電源が入れられたときのその人物の年齢、学年等を、演算部１０８で計算する。
【００７２】
図２は、サブピクチャ画像の例である。ここでは、例として、記録対象情報入力部１０５では、「長男」といった呼称と、それぞれの生年月日とが登録されているものとする。
【００７３】
サブピクチャ画像２０１は、記録対象情報入力部１０５で登録された呼称である「長男」と、記録対象情報入力部１０５で入力された長男の生年月日と、計時部１０７で取得できる日時情報とをもとに、演算部１０８で計算される年齢の情報をビットマップ化し、サブピクチャ画像を生成したものである。
【００７４】
サブピクチャ画像２０２は、計時部１０７で取得される日時情報をもとに、その情報をビットマップ化し、サブピクチャ画像を生成したものである。
【００７５】
サブピクチャ画像２０３は、サブピクチャ画像２０１のデータと、サブピクチャ画像２０２のデータとを組み合わせたデータを用いてビットマップ化し、サブピクチャ画像を生成したものである。
【００７６】
次に、それぞれビットマップ化されたサブピクチャ画像をランレングス圧縮し、サブピクチャ画像データを生成し、メモリ１１０に格納する。
【００７７】
ここで、図２では、例として、３つのサブピクチャ画像データを生成する場合を説明したが、ここで、サブピクチャ画像データの生成としては、これに限るものでは全くなく、記録対象情報入力部１０５で登録された情報、たとえば、父、母、次男、長女、さらにはそれらの成年月日、等をもとに、任意数のサブピクチャ画像データを生成することができる。また、日時情報についても、例として、年、日、時間、分の情報のみを使用し、サブピクチャ画像データを生成することとしたが、年、日、時間、分に加えて、秒までを表示するサブピクチャ画像データを生成するようにしてもよいし、時間情報を除いた日付情報のみのサブピクチャ画像データを生成するようにしてもよい。
【００７８】
ここで、サブピクチャ画像２０１のような撮影中に変化しない情報を用いて作成するサブピクチャ画像データは、ディスクムービーの電源が入れられたときにサブピクチャ生成部１０９でサブピクチャ画像データを生成し、メモリ１１０に格納しておき、撮影中は常にそのサブピクチャ画像データを用いて、ストリーム生成部１１１で、映像、音声のＭＰＥＧストリームと、サブピクチャ画像データとを多重化するようにする。
【００７９】
また、図２における、日時情報よりなるサブピクチャ画像２０２や、サブピクチャ画像２０３中の日時情報のような、撮影中に変化する情報を用いたサブピクチャ画像データは、撮影中に計時部１０７で取得した時間情報が変化すれば、サブピクチャ画像データについても、その時間の変化に伴いサブピクチャ画像データを再生成し、メモリ１１０に格納し、再生成されたサブピクチャ画像データを用いて、ストリーム生成部１１１で、映像、音声のＭＰＥＧストリームと、サブピクチャ画像データとを多重化するようにする。
【００８０】
例えば、計時部１０７で取得した時間が、１５時２０分から１５時２１分に変わったとすると、図２におけるサブピクチャ画像２０２、２０３のサブピクチャ画像データの時間部分を、１５時２１分としてサブピクチャ画像データを再生成する。
【００８１】
また、サブピクチャ画像データを生成する際にビットマップ化する方法としては、図示していない文字コードビットマップ変換テーブルやビットマップデータバッファを用いて、特開２００４−２０１１００と同様の方法でビットマップ化を行う。このようにして、複数のサブピクチャ画像データを生成する。
【００８２】
ここで、上記のように複数のサブピクチャ画像データを生成したとしても、ＤＶＤビデオレコーディング規格では１つのサブピクチャしか挿入することができない。そこで、映像、音声、及びサブピクチャを、記録媒体１１３に記録した後、簡単にサブピクチャを変更できるように、１つのサブピクチャ画像データのみを有効サブピクチャとし、それ以外を無効サブピクチャとして、記録媒体１１３に記録する。
【００８３】
図３は、ユーザーが有効サブピクチャを選択するための液晶表示によるサムネイル画像の表示を示している。
上記のようにして生成した複数のサブピクチャ画像データを用いて、サムネイル画像を生成し、液晶に表示する。次に、ユーザーが、撮影する映像と同時に表示したいサブピクチャを、サムネイル画像から選択する。
【００８４】
図３では、例として、ユーザーが選択したサムネイル画像を、太枠で表示するようにしている。図３では、「長男１２才」のサムネイル画像をユーザーが選択したとすると、図２におけるサブピクチャ画像２０１のサブピクチャ画像データを有効サブピクチャとして、それ以外のサブピクチャ画像データを無効サブピクチャとして、記録媒体１１３に記録する。
【００８５】
ここで、ユーザーが有効サブピクチャを選択するのは、撮影する前、もしくは撮影した後、撮影中、のいずれにおいてもこの選択を行うことが可能である。
【００８６】
次に、有効サブピクチャと、無効サブピクチャの生成について説明する。以下、ＤＶＤビデオレコーディング規格に基づいて説明する。
【００８７】
まず、ストリーム生成部１１１で、サブピクチャが映像、音声のＭＰＥＧストリームに多重化されたストリームの構造について説明する。
【００８８】
図４は、ビデオオブジェクト（ＶＯＢ）の構造を示している。
図４において、ビデオ・オブジェクト（ＶＯＢ）は、再生されるコンテンツの基本単位であるセル（ＣＥＬＬ）の集合で構成されている。さらに、セルは、ビデオ・オブジェクト・ユニット（ＶＯＢＵ）の集合で構成される。ＶＯＢＵは、ビデオパック（Ｖ＿ＰＣＫ）、オーディオパック（Ａ＿ＰＣＫ）、サブピクチャパック（ＳＰ＿ＰＣＫ）の集合で構成される。
【００８９】
ここで、Ｖ＿ＰＣＫはビデオデータ、Ａ＿ＰＣＫはオーディオデータ、ＳＰ＿ＰＣＫはサブピクチャデータが含まれている。
【００９０】
ビデオデータは、ＭＰＥＧで圧縮されたビデオエレメンタリストリームであり、通常、Ｉピクチャ、Ｐピクチャ、Ｂピクチャで構成される。
【００９１】
オーディオデータは、音声の圧縮形式により圧縮されたオーディオエレメンタリストリーム、サブピクチャデータは、ビットマップデータをランレングス圧縮したデータである。
【００９２】
ＳＰ＿ＰＣＫは、パックヘッダ、パケットヘッダ、ｓｕｂ＿ｓｔｒｅａｍ＿ｉｄ、及びサブピクチャデータで構成される。ここで、ｓｔｒｅａｍ＿ｉｄはパケットヘッダに含まれている。
【００９３】
次に、有効サブピクチャ、及び無効サブピクチャについて説明する。
複数のサブピクチャにおいて、ｓｔｒｅａｍ＿ｉｄ、もしくはｓｕｂ＿ｓｔｒｅａｍ＿ｉｄによって、有効サブピクチャと、無効サブピクチャを決定する。
【００９４】
有効サブピクチャのｓｔｒｅａｍ＿ｉｄに、プライベートストリーム１を表すｉｄデータである１０１１１１０１ｂを、ｓｕｂ＿ｓｔｒｅａｍ＿ｉｄに、ＤＶＤビデオレコーディング規格で示されているサブピクチャのｓｕｂ＿ｓｔｒｅａｍ＿ｉｄである００１０００００ｂを挿入し、無効サブピクチャのｓｔｒｅａｍ＿ｉｄに、パディングパケット用のＩＤである１０１１１１１０ｂを挿入し、ｓｕｂ＿ｓｔｒｅａｍ＿ｉｄに、ＤＶＤビデオレコーディング規格で示されているサブピクチャのｓｕｂ＿ｓｔｒｅａｍ＿ｉｄである００１００００ｂを挿入して、サブピクチャパックを生成する。
【００９５】
このように、有効サブピクチャ、及び無効サブピクチャを生成し記録することにより、記録されたデータを、ストリーム再生部１１２もしくは一般的なＤＶＤプレーヤーで再生する際、有効サブピクチャは再生可能であるが、無効サブピクチャはパディングパケットとして扱われ、再生不可能となる。
【００９６】
別の方法として、有効サブピクチャのｓｔｒｅａｍ＿ｉｄに、プライベートストリーム１を表すｉｄデータである１０１１１１０１ｂを挿入し、ｓｕｂ＿ｓｔｒｅａｍ＿ｉｄに、ＤＶＤビデオレコーディング規格で示されているサブピクチャのｓｕｂ＿ｓｔｒｅａｍ＿ｉｄである００１０００００ｂを挿入し、無効サブピクチャのｓｔｒｅａｍ＿ｉｄに、プライベートストリーム１を表すｉｄデータである１０１１１１０１ｂを挿入し、ｓｕｂ＿ｓｔｒｅａｍ＿ｉｄに、ＤＶＤビデオレコーディング規格で示されているサブピクチャ用のｓｕｂ＿ｓｔｒｅａｍ＿ｉｄ以外の値、及び、オーディオ用のｓｕｂ＿ｓｔｒｅａｍ＿ｉｄ以外の値、を挿入して、サブピクチャパックを生成する。
【００９７】
この方法においても、記録されたデータをストリーム再生部１１２もしくは一般的なＤＶＤプレーヤーで再生する際、有効サブピクチャは再生可能であるが、無効サブピクチャは再生不可能となる。
このようにして、有効サブピクチャと、無効サブピクチャとを生成する。
【００９８】
次に、有効サブピクチャを、無効サブピクチャに変更し、無効サブピクチャを、有効サブピクチャに変更する方法について説明する。
【００９９】
ここでは、有効サブピクチャのｓｔｒｅａｍ＿ｉｄに、プライベートストリーム１を表すｉｄデータである１０１１１１０１ｂを、ｓｕｂ＿ｓｔｒｅａｍ＿ｉｄに、ＤＶＤビデオレコーディング規格で示されているサブピクチャのｓｕｂ＿ｓｔｒｅａｍ＿ｉｄである００１０００００ｂを挿入し、無効サブピクチャのｓｔｒｅａｍ＿ｉｄに、パディングパケット用のＩＤである１０１１１１１０ｂを挿入し、ｓｕｂ＿ｓｔｒｅａｍ＿ｉｄに、ＤＶＤビデオレコーディング規格で示されているサブピクチャのｓｕｂ＿ｓｔｒｅａｍ＿ｉｄである００１００００ｂを挿入して、サブピクチャパックが生成され、書き換え可能なＤＶＤメディアに記録されているとする。
【０１００】
まず、ユーザーが有効サブピクチャを変更したい場合、ＤＶＤメディアから、それら有効サブピクチャ、及び無効サブピクチャを読み出し、そのデータをもとにサムネイル画像を生成する。そのサムネイル画像を液晶表示したものは、図３と同じでよい。
【０１０１】
その複数のサムネイル画像から、ユーザーが有効サブピクチャにしたい画像を選択する。ここで、ユーザーが有効サブピクチャを変更する場合は、無効サブピクチャの中から有効サブピクチャに変更したいサブピクチャが選択されるので、選択されたサブピクチャのｓｔｒｅａｍ＿ｉｄには、パディングパケット用のＩＤである１０１１１１１０ｂが挿入され、ｓｕｂ＿ｓｔｒｅａｍ＿ｉｄには、ＤＶＤビデオレコーディング規格で示されているサブピクチャのｓｕｂ＿ｓｔｒｅａｍ＿ｉｄである００１００００ｂが挿入されている。
【０１０２】
ここで、選択された無効サブピクチャのｓｔｒｅａｍ＿ｉｄを、プライベートストリーム１を表すｉｄデータである１０１１１１０１ｂに書き換える。
【０１０３】
一方、ｓｕｂ＿ｓｔｒｅａｍ＿ｉｄは、予め、ＤＶＤビデオレコーディング規格で示されているサブピクチャのｓｕｂ＿ｓｔｒｅａｍ＿ｉｄである００１００００ｂが挿入されているので、書き換える必要はない。
【０１０４】
このように、サブピクチャのｓｔｒｅａｍ＿ｉｄのみを書き換えることにより、無効サブピクチャを有効サブピクチャに変更することができる。
【０１０５】
また、ＤＶＤビデオレコーディング規格では、１つのサブピクチャしか挿入することができないので、もともと記録されていた有効サブピクチャを、無効サブピクチャに変更する必要がある。その場合は、もともと記録されていた有効サブピクチャのｓｔｒｅａｍ＿ｉｄを、パディングパケット用のＩＤである１０１１１１１０ｂに書き換えることにより、無効サブピクチャに変更することが可能である。
【０１０６】
ここで、ＤＶＤメディアから有効サブピクチャと無効サブピクチャを読み出す方法としては、ＤＶＤメディアに記録されたデータをすべて解析し、有効サブピクチャと無効サブピクチャを読み出すようにしてもよいし、また、予め、有効サブピクチャと無効サブピクチャが記録されたアドレスを示すファイルをＤＶＤメディアに記録しておき、そのファイルをもとに、有効サブピクチャと無効サブピクチャを読み出すようにしてもよい。
【０１０７】
このように、有効サブピクチャを無効サブピクチャに変更し、無効サブピクチャを有効サブピクチャに変更するようにする。
【０１０８】
ここでは、ＤＶＤビデオレコーディング規格に準拠した方法で説明してきており、有効サブピクチャを１つとしているが、ＤＶＤビデオ規格では、３２個までサブピクチャを挿入することが可能であり、ＤＶＤビデオ規格では、有効サブピクチャを３２個まで設定することが可能である。
【０１０９】
ＤＶＤビデオ規格に準拠する場合においても、有効サブピクチャ、及び無効サブピクチャの生成、有効サブピクチャから無効サブピクチャへの変更、無効サブピクチャから有効サブピクチャへの変更については、上記の方法で行う。
【０１１０】
ここで、ＤＶＤビデオ規格におけるサブピクチャ用のｓｕｂ＿ｓｔｒｅａｍ＿ｉｄとしては、３２種類のｓｕｂ＿ｓｔｒｅａｍ＿ｉｄが存在し、そのおのおのは、サブピクチャ番号に応じて異なるため、複数のサブピクチャに、サブピクチャ番号を設定し、そのサブピクチャ番号に応じて、ｓｕｂ＿ｓｔｒｅａｍ＿ｉｄを挿入する必要がある。
【０１１１】
また、ＤＶＤビデオ規格に準拠して、サブピクチャを記録する場合は、再生時にデフォルトで表示するサブピクチャを決定することが可能であり、さらにデフォルトでサブピクチャを表示するか否かを、決定することも可能である。
【０１１２】
ここで、再生時にデフォルトで表示するサブピクチャを決定する方法、及びデフォルトでサブピクチャを表示するか否かを決定する方法としては、ＤＶＤビデオ規格に記載されている方法を用いる。
【０１１３】
また、有効サブピクチャを生成することを前提として説明してきたが、有効サブピクチャを生成せず、すべてのサブピクチャを、無効サブピクチャとすることも可能である。
【０１１４】
なお、無効サブピクチャ用のＳｔｒｅａｍ＿ｉｄに、パディングパケット用のＳｔｒｅａｍ＿ｉｄを用いたが、再生部が再生無効となるＳｔｒｅａｍ＿ｉｄを用いてもよい。
【０１１５】
図５は、本発明の実施の形態１におけるディスクムービーにおける動作を示すフローチャートである。
ここでは、撮影前にユーザーが有効サブピクチャを選択することを前提に説明する。また、日時情報のサブピクチャとして、図２における２０２のように、日、時、分の情報を用いて、サブピクチャを生成することを前提とする。
【０１１６】
まず、記録対象情報入力部１０５で入力された呼称、誕生日や、演算部１０８で計算された年齢等の日時情報以外の情報や、ディスクムービーに電源が入れられたときに計時部１０７で取得した日時情報、を用いたサブピクチャ画像データを生成し、メモリ１１０に格納する（ステップＳ５０１）。
【０１１７】
次に、ステップＳ５０１で生成されたサブピクチャ画像データをもとに、サムネイル画像を生成し、そのサムネイル画像の中から、再生時に撮影映像と同時に表示したい有効サブピクチャを、ユーザーが選択する（ステップＳ５０２）。
【０１１８】
次に、ユーザーにより撮影開始される（ステップＳ５０３）。
次に、計時部１０７で時間情報を取得し、時間情報が更新されているか否かの判定を行う（ステップＳ５０４）。
【０１１９】
ここで、時間情報が更新されていれば、日時情報のサブピクチャ画像データを再生成し、メモリ１１０に格納する（ステップＳ５０５）。
【０１２０】
ステップＳ５０４で時間情報が更新されていなければ、ステップＳ５０５の日時情報のサブピクチャ画像データの生成は行わない。
【０１２１】
次に、撮像部１０１で取得した映像、音声のＭＰＥＧストリームを生成する（ステップＳ５０６）。
【０１２２】
次に、ステップＳ５０６で生成された映像、音声のＭＰＥＧストリームと、メモリ１１０に格納されたサブピクチャ画像データを用いて、ストリームの多重化を行う。
【０１２３】
ここで、ステップＳ５０２でユーザーにより選択されたサブピクチャ画像データを用いたサブピクチャを、有効サブピクチャとして、それ以外のサブピクチャを、無効サブピクチャとして多重化を行う（ステップＳ５０７）。
【０１２４】
次に、多重化されたストリームを、記録媒体１１３に記録する（ステップＳ５０８）。
次に、撮影を終了するか否かの判定を行い（ステップＳ５０９）、撮影が終了されなければ、再度、ステップＳ５０４に戻る。
【０１２５】
ステップＳ５０９で撮影が終了されれば、記録されたデータを再生するための情報を、記録媒体１１３に記録し（ステップＳ５１０）、撮影を終了する。
【０１２６】
ここで、ステップＳ５０４の、時間情報が更新されているか否かの判定について詳しく説明する。
撮影されている間、計時部１０７で取得する時間情報は変化している。そのため、時間情報を用いたサブピクチャ画像データについても、計時部１０７で取得する時間情報の変化に伴い、再生成する必要がある。
【０１２７】
そこで、ステップＳ５０４では、時間情報が更新されたか否かの判定を行う。
判定する時間情報は、ステップＳ５０１における計時部１０７で取得した時間情報、もしくはステップＳ５０７におけるストリームの多重化に使用する日時情報のサブピクチャ画像データに用いた時間情報と、ステップＳ５０４で取得した時間情報とを比較し、その比較した時間情報が同じであれば、日時情報のサブピクチャ画像データの再生成は行わない。
【０１２８】
比較した時間情報が異なっていれば、ステップＳ５０４で取得した時間情報を用いて、日時情報を用いたサブピクチャ画像データの再生成を行う（ステップＳ５０５）。
【０１２９】
例えば、ステップＳ５０１における計時部１０７で取得した時間情報、もしくはステップＳ５０７におけるストリームの多重化に使用する日時情報のサブピクチャ画像データに用いた時間情報が、１５時２０分であり、ステップＳ５０４で取得した時間情報も、１５時２０分であれば、ステップＳ５０４の時点ですでに１５時２０分のサブピクチャ画像データはメモリ１１０に格納されているので、サブピクチャ画像データの再生成は行わず、メモリ１１０に格納された１５時２０分のサブピクチャ画像データを用いて、ステップＳ５０７においてストリームの多重化を行う。
【０１３０】
ステップＳ５０１における計時部１０７で取得した時間情報、もしくはステップＳ５０７においてストリームの多重化に使用する日時情報のサブピクチャ画像データに用いた時間情報が、１５時２０分であり、ステップＳ５０４で取得した時間情報が、１５時２１分であれば、時間情報が更新されているので、ステップＳ５０５で１５時２１分のサブピクチャ画像データの再生成を行い、メモリ１１０に格納し、再生成した日時情報のサブピクチャ画像データを用いて、ステップＳ５０７においてストリームの多重化を行う。
【０１３１】
このようなステップのフローにより、本発明の実施の形態１によるディスクムービーにおいては、副映像の表示を行いながら、撮影を行うことができる。
【０１３２】
以上のような本実施の形態１による情報記録再生装置によれば、映像、音声を取り込む入力手段を有し、かつ副映像を生成する手段を有し、副映像を所要の画像、音声とともに、記録し、かつ再生表示可能な情報記録再生装置において、入力された映像、音声からＭＰＥＧストリームを生成する圧縮手段１０３と、副映像を生成する副映像生成手段１０９と、映像、音声のＭＰＥＧストリームと副映像とを多重化するストリーム生成手段１１１とを有し、副映像生成手段１０９で複数の副映像を生成し、ストリーム生成手段１１１で、複数の副映像のうち少なくとも１つ以上の副映像を、副映像をデコードする際にデコード不可能である無効副映像として、他を再生可能な有効副映像として、映像、音声のＭＰＥＧストリームと多重化するようにしたので、撮影中に人物の識別情報、年齢、学年等を、ＤＶＤ  Ｖｉｄｅｏ規格、ＤＶＤビデオレコーディング規格における、有効あるいは無効サブピクチャとして多重化ストリーム中に挿入し、ランダムアクセス可能な記録媒体に記録可能であるとともに、かつ該サブピクチャを有効サブピクチャと無効サブピクチャとの間で簡単に変更可能であり、主映像である映像、音声に対して希望する副映像を容易に、記録し、変更し、かつ再生表示することが可能となる効果が得られる。
【産業上の利用可能性】
【０１３３】
本発明にかかる情報記録方法、情報編集方法、及び情報記録再生装置は、撮影中に人物の識別情報、年齢、学年等を、ＤＶＤ  Ｖｉｄｅｏ規格、ＤＶＤビデオレコーディング規格におけるサブピクチャとして、ランダムアクセス可能な記録媒体に記録することができ、その記録されたサブピクチャを編集することのできる情報記録再生装置において有用である。
【図面の簡単な説明】
【０１３４】
【図１】本発明の実施の形態１における情報記録再生装置のブロック図
【図２】本発明の実施の形態１におけるサブピクチャ画像の例を示す図
【図３】本発明の実施の形態１における有効サブピクチャ選択時の液晶表示の例を示す図
【図４】本発明の実施の形態１におけるＤＶＤビデオレコーディングストリームデータの構造図
【図５】本発明の実施の形態１におけるディスクムービーの動作のフローチャート
【符号の説明】
【０１３５】
１０１  撮像部
１０２  Ａ／Ｄ変換部
１０３  圧縮部
１０４  ユーザーＩ／Ｆ
１０５  記録対象情報入力部
１０６  メモリ
１０７  計時部
１０８  演算部
１０９  サブピクチャ生成部
１１０  メモリ
１１１  ストリーム生成部
１１２  ストリーム再生部
１１３  記録媒体
１１４  Ｄ／Ａ変換部
２０１  サブピクチャ画像の例
２０２  サブピクチャ画像の例
２０３  サブピクチャ画像の例
【図１】
2006222818.tif 000003
【図２】
2006222818.tif 000004
【図３】
2006222818.tif 000005
【図４】
2006222818.tif 000006
【図５】
2006222818.tif 000007